(57)【特許請求の範囲】
【請求項１】
ショートベスト時において、側縁が襟部、左右肩線、左右腋ぐり、腋部、裾部となるように一体的に裁断した後身頃と、外側縁が襟部、前合わせ部、裾部となるようにし、裾部の中間部に襟部、肩線、肩ぐり、腋部となる凹部を形成するように一体的に裁断した前身頃とからなり、該凹部に前記後身頃の襟部、左右肩線、腋部を縫着又は取外し自在に取付けてなる衣服
【請求項２】
ショートベスト時において、側縁が襟部、左右肩線、左右腋ぐり、腋部、裾部となるように一体的に裁断した後身頃と、外側縁が襟部、前合わせ部、裾部となるようにし、裾部の中間部に襟部、肩線、肩ぐり、腋部となる凹部を形成するように一体的に裁断した前身頃とからなり、該凹部に前記後身頃の襟部、左右肩線、腋部の一部を残して縫着してなる衣服
【請求項３】
ショートベスト時において、側縁が襟部、左右肩線、左右腋ぐり、腋部、裾部となるように一体的に裁断した後身頃と、外側縁が襟部、前合わせ部、裾部となるようにし、裾部の中間部に襟部、肩線、肩ぐり、腋部となる凹部を形成するように一体的に裁断した二枚重ねの前身頃とからなり、該凹部に前記後身頃の襟部、左右肩線、腋部を縫着又は取外し自在に取付けてなる衣服
【請求項４】
ショートベスト時において、側縁が襟部、左右肩線、左右腋ぐり、腋部、裾部となるように一体的に裁断した後身頃と、外側縁が襟部、前合わせ部、裾部となるようにし、裾部の中間部に襟部、肩線、肩ぐり、腋部となる凹部を形成するように一体的に裁断した二枚重ねの前身頃とからなり、該凹部に前記後身頃の襟部、左右肩線、腋部の一部を残して縫着してなる衣服
【請求項５】
前身頃の裾を羽織ることにより長袖の衣服とした時に、袖口とすることができるように、前身頃の前合わせ部と裾部の間に袖口部となる側縁を形成している請求項１又は２又は３又は４記載の衣服
【請求項６】
前身頃の裾を羽織ることにより長袖の衣服とした時に、袖口部となる側縁の任意の箇所に指通しを設けている請求項１又は２又は３又は４又は５記載の衣服
【請求項７】
前身頃又は後身頃の適宜の箇所又は前身頃又は後身頃の外縁に芯材を縫いこんだ鍔部を取外し自在に取付けてなる請求項１又は２又は３又は４又は５又は６記載の衣服
【発明の詳細な説明】
【技術分野】
【０００１】  本発明は、体感温度に応じて瞬時に対応することができショートベスト、ロングベストなどの多用途に対応できる衣服に関するものである。
【背景技術】
【０００２】  夏季は外出する際には薄着で出かけるが、近年日焼けによる弊害が問題となっており、夏季でも日焼け防止も考慮した衣服が望まれている。また、エアコンの普及から夏冬ともに室内と室外との温度差が激しいため、夏季は冷房をしている室内では寒くなり羽織るものが必要となる。一方、冬季は厚着で外出するが、暖房されている室内ではコートを脱いでも暑すぎることがある。【０００３】  このような事情から、日焼け防止腕カバーなどは開発されているが、外出時に嵩張るという欠点があった。そのため日焼け防止や防寒対策を施したこの種上着はあるが、取り外しが必要なものが殆んどであり、取り外しに手間取るため瞬時に対応することはできないものであった（特許文献１）。また、部分的に腕や手の甲の日焼け防止のための上着はあるが（特許文献２）、首や胸元、頬などの日焼けを防止できる全てを兼ね備えたものはなかった。【０００４】  そこで、外出時にも嵩張らず、瞬時に寒暖に対応でき、しかもファッション性にも富んだ衣服の開発が望まれていた。【０００５】
【特許文献１】実開平５−１９３０８号公報
【特許文献２】実用新案登録第３１２８７４７号公報
【発明の開示】
【発明が解決しようとする課題】
【０００６】  本発明は、上述した従来技術の欠点を除くためになされたものである。即ち、外出時にも嵩張らず、夏季には瞬時に冷房対策や日焼け防止対策ができ、冬季には暖房対策として瞬時に利用できるだけでなく、ショートベストやロングベストとしても着用できる一の衣服により多目的及び多用途に対応できる衣服を提供することをその目的とするものである。
【課題を解決するための手段】
【０００７】  このような問題点を解決するために、第１発明は、ショートベスト時において、側縁が襟部、左右肩線、左右腋ぐり、腋部、裾部となるように一体的に裁断した後身頃と、外側縁が襟部、前合わせ、裾部とし、裾部の中間部に襟部、肩線、肩ぐり、腋部となる凹部を形成するように一体的に裁断した前身頃とからなり、該凹部に前記後身頃の襟部、左右肩線、腋部を縫着又は取外し自在に取付けてなることを特徴とするものである。【０００８】  また、第２発明は、ショートベスト時において、側縁が襟部、左右肩線、左右腋ぐり、腋部、裾部となるように一体的に裁断した後身頃と、外側縁が襟部、前合わせ部、裾部となるようにし、裾部の中間部に襟部、肩線、肩ぐり、腋部となる凹部を形成するように一体的に裁断した前身頃とからなり、該凹部に前記後身頃の襟部、左右肩線、腋部の一部を残して縫着してなることを特徴とするものである。【０００９】  また、第３発明は、ショートベスト時において、側縁が襟部、左右肩線、左右腋ぐり、腋部、裾部となるように一体的に裁断した後身頃と、外側縁が襟部、前合わせ、裾部とし、裾部の中間部に襟部、肩線、肩ぐり、腋部となる凹部を形成するように一体的に裁断した二枚重ねの前身頃とからなり、該凹部に前記後身頃の襟部、左右肩線、腋部を縫着又は取外し自在に取付けてなることを特徴とするものである。【００１０】  また、第４発明は、ショートベスト時において、側縁が襟部、左右肩線、左右腋ぐり、腋部、裾部となるように一体的に裁断した後身頃と、外側縁が襟部、前合わせ部、裾部となるようにし、裾部の中間部に襟部、肩線、肩ぐり、腋部となる凹部を形成するように一体的に裁断した二枚重ねの前身頃とからなり、該凹部に前記後身頃の襟部、左右肩線、腋部の一部を残して縫着してなることを特徴とするものである。【００１１】  また、第５発明は、前身頃の裾を羽織ることにより長袖の衣服とした時に、袖口とすることができるように、前身頃の前合わせ部と裾部の間に袖口部となる側縁を形成していることを特徴とするものである。【００１２】  また、第６発明は、前身頃の裾を羽織ることにより長袖の衣服とした時に、袖口部となる側縁の任意の箇所に指通しを設けていることを特徴とするものである。【００１３】  また、第７発明は、前身頃又は後身頃本体の適宜の箇所又は前身頃又は後身頃の外縁に芯材を縫いこんだ鍔部を取外し自在に取付けてなることを特徴とするものである。
【発明の効果】
【００１４】  本発明は、このような構成であるので、第１発明によれば、ショートベストとして着用する場合は、図２のように後身頃と前身頃との中央の縫着部及び前身頃の上縁部を襟部とし、後身頃の下縁部が裾部となるようにして襟首に掛け、両腕を左右の肩ぐりと腋ぐりとからなる袖ぐり部に通せばよい。前身頃の上部左右側縁が前合せとなるように胸前に垂らすようにする。【００１５】  一方、ロングベストとして着用する場合には、図５（ａ）のように前身頃の頂部が裾部となるように後身頃の下縁部の中央部を襟部とすべく襟首に掛けるように両腕を左右の袖ぐり部に通せばよい。
この場合も、前合わせの上部をボタンなどで止めることができるようにすれば、襟ぐりを形成することができ胸元や首元の日焼けを防ぐことができる。【００１６】  第２発明によれば、前身頃の凹部の襟部、左右肩線、腋部の一部を残して後身頃の襟部、左右肩線、腋部を縫着するようにしているので、例えば、腋部となる前身頃と後身頃との縫着を下方の一部を未縫着のままとすることにより、図５（ｂ）のように見栄えのよい襟部を形成することができる。【００１７】  そして、第３発明では、前身頃を表裏二枚重ねとしているので、腕の日焼けが気になる場合や少し寒いと感じた場合には、図４のように２枚重ねの表側の前身頃の前裾部を摘み、両腕を広げ羽織るようにすると、布地が斜めになるため腕に巻き込むようになり、瞬時に長袖とすることができる。しかも、羽織るようにするだけなので夏場は涼感を得ることもできる。【００１８】  また、第４発明によれば、前身頃の凹部の襟部、左右肩線、腋部の一部を残して後身頃の襟部、左右肩線、腋部を縫着するようにしているので、例えば、腋部となる前身頃と後身頃との縫着を下方の一部を未縫着のままとすることにより、見栄えのよい襟部を形成することができる。【００１９】  また、第５発明によれば、図７のように長袖として利用した時に袖口となる側縁の下端に指を引っ掛けるための指通しを設けているので、指通しに指を通すことによって両腕を広げ易くなるだけでなく、生地がバイアス状態になるため両腕を広げると生地が引っ張られ腕に巻き込まれ易くなるので瞬時に長袖状態にすることができる。また、指通しに中指を通すと手の甲が覆われるため手の甲の日焼け防止ができる。【００２０】  また、第６発明によると、図９のように前身頃の裾を羽織ることにより長袖の衣服とした時に、袖口部となる側縁の任意の箇所に指通しを設けているので、前身頃が捲り上げやすくなる。【００２１】  また、第７発明によると、図１３のように襟部を形成することとなる前身頃又は後身頃の外縁に芯材を縫いこんだ鍔部を取外し自在に取付けているので、襟部を立てることにより防寒対策となるばかりか、鍔部を頭にまで引き上げることによって帽子やフードとしての機能も有することとなる。なお、図１０のように鍔部を前身頃又は後身頃の適宜の箇所に取付けることによって同様の効果を奏することができる。
【発明を実施するための最良の形態】
【実施例】
【００２２】  実施例について図面を参照して説明すると、図１において、１は前身頃、２は後身頃、３は、左右の肩ぐり１７と腋ぐり２３とからなる袖ぐりである。
裾部１４の丈は、着用者の腕の長さとすることが望ましいが、好みの丈にすればよい。【００２３】  前身頃１は一枚又は２枚重ねとし、約５０ｃｍ幅の裾部１４となるＣＤライン、ＩＨラインを斜め上方約１０〜１５度方向に設け、約３０ｃｍ幅の長袖時に袖口となるＤＥライン、ＨＧラインの前裾部１３を上方約４０度方向に設け、襟部１１（Ｚ１Ｚ２ライン）、前合わせ部１２（ＥＺ１ライン、ＧＺ２ライン）となる外周約１７０ｃｍの弧状ライン（Ｅ〜Ｇライン）を設けるとともに、裾部１４の中間部には、Ｍを中心とするＬＮラインの襟部１５、ＡＮ、ＬＫラインの肩線１６、ＡＢ、ＫＪラインの肩ぐり１７、ＢＣ、ＪＩラインの腋部１８となる凹部を一体に裁断している。【００２４】  後身頃２は、約５０ｃｍ幅の襟部２１となるＱを中心とするＰＲライン及び左右肩線２２となるＯＰライン、ＲＳラインと、左右腋ぐり２３となる円弧状のＯＸライン及びＳＴラインと、左右の腋２４となる長さ約２０〜３０ｃｍのＸＷライン、ＴＵラインと、裾部２５となる約５０〜６０ｃｍ幅のＵＷラインを一体に裁断している。【００２５】  そして、前身頃１のＢＣラインと後身頃２のＸＷライン及び前身頃１のＪＩラインと後身頃２のＴＵラインを夫々接合し腋部４を形成する。そして、前身頃１のＡＫラインと後身頃２のＯＳラインを接合し襟部及び肩線を形成する。腋部４は、前身頃ＢＣ、ＪＩと後身頃ＸＷ、ＴＵとの縫着を下方の一部のＴ１Ｕ、Ｘ１Ｗラインを未縫着のままとしていると襟ぐりが折曲しやすくなり、図５（ｂ）のように見栄えのよい襟部を形成することができる。【００２６】  腋部４は、図３のように後身頃の両側ＸＷライン、ＴＵラインに延設部３１，３１を形成し、延設部をボタン３３や面テープ等の取付部材によって前身頃の腋部分に止めるようにすれば、身体の体型の変化に対応できる。【００２７】  前身頃１を二枚重ねとした場合には、表前身頃１Ａと裏前身頃１Ｂの外縁ＣＤＥＧＨＩラインは未縫着としている。【００２８】  １９は、前身頃１の前裾部１３下部の側縁に設けられた指を挿入引っ掛けることできるようにした指通しである。すなわち、ショートベスト時において、側縁に位置する左右張り出し部５、５の隅部に設けている。【００２９】  なお、夏用の衣服とする場合には、薄手の柔軟性布地を利用することが望ましい。また、必要に応じて、袖ぐり３，３に袖を取付けることもできる。【００３０】  以上のような構成であるので、図２に示すように本実施形態の衣服の後身頃２の襟部２１及び前身頃１の襟部１１が襟首に掛かるようにし、両腕を左右の袖ぐり３，３に差し込むとノースリーブやフレンチスリーブのショートベストとして着用することができる。【００３１】  前身頃１を二枚重ねとしていると、外縁のＣ〜Ｉラインを未縫着の状態にしているので、前身頃１の前裾部１３を捲り上げるようにして羽織ると腕を覆うことができ、図４に示すように長袖のショートベストとして着用することができる。【００３２】  このとき、前身頃１の前裾部１３下部に指通し１９を設けていると、図７のように指通し１９に指を引っ掛けて捲り上げることができ便利である。また、このようにすることによって、手の甲が覆われ手の甲の日焼けを防ぐこともできる���
指通し１９は、ボタン等を袖口となるＥＤライン、ＧＨライン近くにつけ、そのボタンに指通し１９を引っ掛け、手首の太さに合わせて止めることもできる。【００３３】  指通しは、図８のように、前裾部１３の外側に指通し袋３２を上下の隅部Ｄ１Ｄ３、Ｅ１Ｅ３を残して側縁に沿って縫着すれば指を通しやすく、また完全に手の甲を覆うこととなる。【００３４】  なお、長袖時の袖口となる前裾部１３、１３は、隅部にホック等で止めることができるようにしておくと、袖口が開かないので邪魔にならない。【００３５】  また、図５（ａ）（ｂ）のように、後身頃２の裾部２５の中心部Ｖを襟部の中心となるようにして着用するとロングベストして着用することができる。【００３６】  そして、図６のように、外側の前身頃１だけを腕に捲り上げるようにすると前裾部を形成する張り出し部を長袖とすることができる。【００３７】  また、前身頃１を捲り上げるとショートカーディガンとして着用することもできる。前身頃を二枚重ねとしている場合には、二枚とも捲り上げればよい。【００３８】  このとき、裾部２５（ＵＷライン）上に止めをつけると、ロングベスト時の首に沿う箇所を合わせ前で止め首を覆うことができる。また、襟部１１（Ｚ１、Ｚ２ライン）上に設けた止めと裾部２５の中央部Ｖ上に設けた止め受けで止着することにより、動いても捲り上げた長袖の部分がずり落ちることはない。前止めはボタンやホック等周知のものを利用することができる。【００３９】  前身頃１外縁のＣＤＥＧＨＩラインは未縫着としているので、裏側前身頃の襟部を頭に被せるようにすればフードの代用として利用することができる。【００４０】  図１０は、後身頃２の適宜位置に取付けうるようにしてなる芯材４１を縫いこんだ鍔部４２を形成した襟部４３である。芯材４１を形状保持プラスティック線材例えばテクノロート（登録商標）のようなものとしていると、図１１（ａ）のように襟部４３を形成することができる。襟部４３の形状を種々に変化させることができる。例えば図１１（ｂ）のように鍔部４２を立てると立て襟のようにして首に巻くことにより、首や頬の部分も日除け防止や防寒対策としても利用できる。【００４１】  なお、後身頃２への取付けを襟部４３の両端Ｔ１、Ｘ１近傍のみとしておくと、襟部４３の後部はフリーの状態となるため鍔部４２を前方向に引っ張りやすくなる。そのため鍔部４２を頭に被るように前方向に引っ張ることにより、図１２で図示するように帽子として使用できるだけでなく鍔部４２が頬や顔まで覆うので日除けとなる。【００４２】  図１３は、前身頃１の外縁に取付けうるようにしてなる芯材５１を縫いこんだ鍔部５２を形成した襟部５３である。芯材５１を形状保持プラスティック線材例えばテクノロート（登録商標）のようなものとしていると、襟部５３を種々に変化させることができる。【００４３】  図９のように、裾部１４のＤＣラインを着用者の袖の長さとし、このＤＣラインと前合わせ部１２のＥＺ１ラインとをホック９やファスナーなどにより止めることができるようにしていると筒状の袖つきのベストとして着用することができる。
【図面の簡単な説明】
【００４４】
【図１】  本発明の平面図である。
【図２】  ショートベストとして使用した状態の正面図である。
【図３】  本発明で使用する後身頃の実施形態の正面図である。
【図４】  前身頃を二枚重ねとして使用した状態の正面図である。
【図５】  ロングベストとして使用した状態の正面図である。
【図６】  前裾部を長袖として使用した状態の正面図である。
【図７】  前裾部の実施形態の正面図である。
【図８】  前裾部の実施形態の正面図である。
【図９】  筒状の袖付ベストとして使用した状態の正面図である。
【図１０】  後身頃に鍔部を取付けた状態の一部を切欠した正面図である。
【図１１】  鍔部を襟として使用した状態の説明図である。
【図１２】  鍔部を帽子として使用した状態の説明図である。
【図１３】  前身頃に鍔部を取付けた状態の正面図である
【符号の説明】
【００４５】  １    前身頃
２    後身頃
３    袖ぐり
４    腋部
５    張り出し部
１１  襟部（前身頃）
１２  前合せ部
１３  前裾部
１４  裾部
１６  肩線
１７  肩ぐり
１８  腋部
１９  指通し
【図１】
0005099502.tif 000002
【図２】
0005099502.tif 000003
【図３】
0005099502.tif 000004
【図４】
0005099502.tif 000005
【図５】
0005099502.tif 000006
【図６】
0005099502.tif 000007
【図７】
0005099502.tif 000008
【図８】
0005099502.tif 000009
【図９】
0005099502.tif 000010
【図１０】
0005099502.tif 000011
【図１１】
0005099502.tif 000012
【図１２】
0005099502.tif 000013
【図１３】
0005099502.tif 000014